(57)【要約】【課題】  回転速度検出機能に加えて、原点検出機能も備えながら、コンパクトな構成の原点検出機能付き光学式回転センサとこれを備えた軸受を提供する。【解決手段】この光学式回転センサＡは、コードホイール２に、円周方向に並ぶ回転検出用の複数の格子３、および円周方向１か所の原点表示部４を、同一円周上に位置させて設ける。回転検出用の光源５，６、および原点検出用の光源７と、これらに対向する受光体５ａ，６ａ，７ａを設ける。回転検出用の光源５，６と原点検出用の光源７とは、波長が互いに異なる光を発光するものとする。例えば、回転検出用は赤外線光、原点検出用は紫外線光とする。【選択図】        図１
2005233870.tif 000002
【特許請求の範囲】
【請求項１】
円周方向に並ぶ回転検出用の複数の格子、および円周方向１か所の原点表示部を有するコードホイールと、このコードホイールの前記格子および原点表示部に検出光をそれぞれ照射する回転検出用の光源および原点検出用の光源と、それぞれ前記コードホイールの前記格子または格子間部分、および原点表示部の、反射光または透過光を検出する回転検出用の受光体および原点検出用の受光体とを有する光学式回転センサであって、前記回転検出用の光源および原点検出用の光源を、互いに異なる波長の光を発光するものとしたことを特徴とする原点検出機能付き光学式回転センサ。
【請求項２】
請求項１において、前記回転検出用の複数の格子と前記原点表示部とを、前記コードホイールにおける同じ円周上に位置させた原点検出機能付き光学式回転センサ。
【請求項３】
請求項１または請求項２において、回転検出用の光源および受光体が、それぞれ赤外線光の発光および受光を行うものであり、原点検出用の光源および受光体が、それぞれ紫外線光の発光および可視光の受光を行うものであり、原点表示部が蛍光部である原点検出機能付き光学式回転センサ。
【請求項４】
請求項１ないし請求項３のいずれか１項において、前記コードホイールの前記原点表示部または格子を設けた表面に、親水性コーティングを施した原点検出機能付き光学式回転センサ。
【請求項５】
請求項４において、前記親水性コーティングが、光触媒超親水性コーティングである原点検出機能付き光学式回転センサ。
【請求項６】
円周方向に並ぶ回転検出用の透過型の格子、および円周方向１か所の反射型の原点表示部を有するコードホイールと、このコードホイールの円周方向に互いに離れて設けられそれぞれ前記格子および原点表示部に検出光を照射する回転検出用の光源および原点検出用の光源と、前記コードホイールの前記格子または格子間部分の透過光、および前記原点表示部の反射光をそれぞれ検出する回転検出用の受光体および原点検出用の受光体とを有する原点検出機能付き光学式回転センサ。
【請求項７】
互いに回転自在な回転輪および固定輪を有する軸受と、請求項１ないし請求項５のいずれか１項に記載の原点検出機能付き光学式回転センサとを備え、前記回転輪に前記コードホイールを取付け、固定輪に前記各光源および各受光体を取付けた回転センサ付き軸受。
【請求項８】
請求項７において、前記軸受が転がり軸受であって、回転輪と固定輪間の環状空間を密封するシールを回転輪に取付け、このシールを前記コードホイールとし、前記格子および原点表示部をいずれも反射型のものとした回転センサ付き軸受。
【発明の詳細な説明】
【技術分野】
【０００１】
この発明は、回転速度検出用のパルス信号だけでなく、原点信号も得ることができる原点検出機能付き光学式回転センサおよびこの回転センサを備えた軸受に関する。
【背景技術】
【０００２】
回転センサは、インクリメンタル式とアブソリュート式に大別されるが、一般のインクリメンタル式の回転センサはイニシャライズ処理が必要であり、またアブソリュート式の回転センサは構成が複雑で高価なものになる。そのため、インクリメンタル式の回転センサとして、原点信号を得られるようにしたものが提案されている。
例えば、インクリメンタル式の原点検出機能付き回転センサとして、磁気式では特許文献１に示されるものがある。これは、円筒状のホイールの外周面に、それぞれ着磁された回転検出用の格子配列と円周方向１か所の原点表示部とを、軸方向に並べて設けたものをエンコーダとしている。光学式では、円板状のホイールに、回転検出用の格子配列と円周方向１か所の原点表示部とを径方向に並べて設け、エンコーダとしたものがある。
【０００３】
また、従来、特許文献１に示されるように、回転センサを転がり軸受に設けた回転センサ付き軸受が提案されている。このように軸受を回転センサ付きのものとすると、別個に回転センサを取付ける必要がなく、軸受使用機器の組み立てが簡易となり、かつ省スペース化が図れる。
【特許文献１】特開２００３−２６９４７５号公報
【発明の開示】
【発明が解決しようとする課題】
【０００４】
従来の原点検出機能付き回転センサにおいて、特許文献１に示されるような回転検出用の格子配列と原点表示部とを軸方向に並べて設けたものは、エンコーダが軸方向に長くなるという問題がある。それに、磁気式のものは、分解能が低いという問題もある。また、前記光学式の原点検出機能付き回転センサにおけるような回転検出用の格子配列と原点表示部とを径方向に並べて設けたものは、エンコーダが径方向に大きくなるという問題がある。
またこのため、軸受を回転センサ付きとする場合に、回転センサ付き軸受におけるセンサ部分が大きくなるという問題がある。
【０００５】
この発明の目的は、回転速度検出機能に加えて原点検出機能を備えながら、コンパクトな構成にできる原点検出機能付き光学式回転センサを提供することである。
この発明の他の目的は、この発明の原点検出機能付き光学式回転センサの利点が効果的に発揮されて、回転センサ部分がコンパクトに構成でき、かつ回転速度検出機能および原点検出機能を共に備えるものとできる回転センサ付き軸受を提供することである。
【課題を解決するための手段】
【０００６】
この発明の原点検出機能付き光学式回転センサは、円周方向に並ぶ回転検出用の複数の格子、および円周方向１か所の原点表示部を有するコードホイールと、このコードホイールの前記格子および原点表示部に検出光をそれぞれ照射する回転検出用の光源および原点検出用の光源と、それぞれ前記コードホイールの前記格子または格子間部分、および原点表示部の、反射光または透過光を検出する回転検出用の受光体および原点検出用の受光体とを有する光学式回転センサであって、前記回転検出用の光源および原点検出用の光源を、互いに異なる波長の光を発光するものとしたことを特徴とする。
前記回転検出用の複数の格子と前記原点表示部とは、前記コードホイールにおける同じ円周上に位置させても良い。
【０００７】
この構成によると、コードホイールにおける格子および原点表示部に検出光をそれぞれ照射する回転検出用の光源および原点検出用の光源を、互いに異なる波長の光を発光するものとしたので、これら格子と原点表示部が同じ円周上や近接した位置にあっても、回転検出用の光と原点検出用の光が干渉することなく区別して検出することができる。そのため、コードホイールが、回転検出用の格子の列と原点表示部の両方を有するものでありながら、コンパクトなものとできる。特に、回転検出用の格子と原点表示部を同じ円周上に配置した場合は、コードホイールが単なるインクリメンタル式のものと同じ大きさのもので済む。したがって、回転検出および原点検出の両機能を備えながらコンパクトな構成の回転センサの実現が可能となる。また、光学式としたため、磁気式のものに比べて分解能が高く、回転検出精度が高くなる。
【０００８】
この発明の原点検出機能付き光学式回転センサにおいて、回転検出用の光源および受光体が、それぞれ赤外線光の発光および受光を行うものであり、原点検出用の光源および受光体が、それぞれ紫外線光の発光および可視光の受光を行うものであっても良い。原点表示部は蛍光部とする。
この構成の場合、回転検出は赤外線光で行い、原点検出は紫外線光が蛍光部で反射された可視光線で行うことになるため、回転検出と原点検出の確実な干渉回避が行える。また原点表示部は蛍光部とするため、コードホイールに回転検出用の格子と重ねて設けても、その格子と原点表示部から区別して反射光を得ることができ、回転検出用の格子と原点表示部とを同じ円周上に配置することの弊害を生じない。
【０００９】
この発明の原点検出機能付き光学式回転センサにおいて、前記コードホイールの前記格子を設けた表面に、親水性コーティングを施しても良い。この親水性コーティングは、光触媒超親水性コーティングであっても良い。
親水性コーティングを施せば、格子を設けた表面の親水性が保たれ、コードホイール表面の曇りの発生が防止されて、精度の高い回転検出が維持される。特に、光触媒超親水性コーティングを採用した場合は、原点検出用光源等に紫外線光を発光させるものを用いたときに、その紫外線光の照射に基づく光触媒作用により、常時、超親水性が保たれる。したがって曇り発生の防止効果がより顕著となる。
【００１０】
この発明における他の原点検出機能付き光学式回転センサは、円周方向に並ぶ回転検出用の透過型の格子、および円周方向１か所の反射型の原点表示部を有するコードホイールと、このコードホイールの円周方向に互いに離れて設けられそれぞれ前記格子および原点表示部に検出光を照射する回転検出用の光源および原点検出用の光源と、前記コードホイールの前記格子または格子間部分の透過光、および前記原点表示部の反射光をそれぞれ検出する回転検出用の受光体および原点検出用の受光体とを有するものである。
【００１１】
このように回転検出用の格子を透過型とし、原点表示部を反射型とした場合も、同じ円周上に回転検出用の格子と原点表示部とがあっても、回転検出用の光源および原点検出用の光源が円周方向に離れて配置されていれば、回転検出用の光と原点検出用の光が干渉することなく区別して検出できる。そのため、この構成の場合も、回転速度検出機能に加えて原点検出機能も備えながら、コンパクトな構成にできる。
なお、この構成の場合に、両光源が互いに異なる波長の光を発光するものであると、干渉の確実な回避のためにより好ましいが、同じ波長の光を発光するものを用いても、区別して検出することができる。
【００１２】
この発明の回転センサ付き軸受は、互いに回転自在な回転輪および固定輪を有する軸受と、この発明の上記いずれかの構成の原点検出機能付き光学式回転センサとを備え、前記回転輪に前記コードホイールを取付け、固定輪に前記各光源および各受光体を取付けたものである。
この構成の回転センサ付き軸受によると、軸受に回転センサを取付けたため、回転センサを別個に取付ける必要がなく、軸受使用機器への組み立てが簡易となる。また、この発明における原点検出機能付き光学式回転センサにおけるコンパクトな構成で回転速度検出機能および原点検出機能も備えるという利点が効果的に発揮されて、回転センサ部分がコンパクトに構成でき、かつ回転速度検出機能および原点検出機能を共に備えるものとすることができる。
【００１３】
この発明の回転センサ付き軸受において、前記軸受が転がり軸受である場合に、回転輪と固定輪間の環状空間を密封するシールを回転輪に取付け、このシールを前記コードホイールとしても良い。この場合、前記格子および原点表示部はいずれも反射型のものとし、前記回転検出用の受光体および原点検出用の受光体は反射光を受光するものとする。
このように、シールをコードホイールに兼用させると、部品点数を増やすことなく回転センサ付き軸受を構成することができ、また回転センサ付き軸受の全体構成をより一層コンパクトなものとできる。
【発明の効果】
【００１４】
この発明の原点検出機能付き光学式回転センサは、コードホイールにおける格子および原点表示部に、検出光をそれぞれ照射する回転検出用の光源および原点検出用の光源を、互いに異なる波長の光を発光するものとしたので、回転速度検出機能に加えて原点検出機能を備えながら、コンパクトな構成の回転センサとできる。また、光学式であるため、分解能の高い回転検出が可能になる。
この発明の他の原点検出機能付き光学式回転センサは、回転検出を透過型とし、原点検出を反射型としたため、この構成の場合も、回転速度検出機能に加えて原点検出機能を備えながら、コンパクトな構成の回転センサとできる。また、光学式であるため、分解能の高い回転検出が可能になる。
【００１５】
この発明の回転センサ付き軸受は、この発明の原点検出機能付き光学式回転センサを備えたものであるため、回転センサ部分がコンパクトに構成でき、かつ回転速度検出機能および原点検出機能を共に備えるものとできる。
【発明を実施するための最良の形態】
【００１６】
この発明の第１の実施形態を図１と共に説明する。この回転センサＡは、回転速度および回転方向の検出機能と原点検出機能とを備えたものであり、非透光性の円板状のコードホイール２を備える。コードホイール２は、回転軸１の先端に固定されている。このコードホイール２の外周部に、同一円周上に沿って回転検出用の多数の格子３が等間隔で１列に形成されている。これらの格子３は光の透過用のスリットからなる。コードホイール２の格子３の配列と同じ円周上における１箇所には原点表示部４が設けられている。原点表示部４は、上記円周上における格子間部分３ａ、つまり隣合う格子３間の部分に設けられている。この原点表示部４は、紫外線光の照射により可視光を発光する蛍光体を付着させた蛍光部からなる。
【００１７】
上記コードホイール２の片側には、格子３の形成された径方向位置に対向するように、２個の回転検出用の光源５，６が円周方向に所定の間隔を以って配設されている。上記所定の間隔は、格子３の配列ピッチの倍数に対して、所定の位相角度、例えば上記配列ピッチの１／４だけずれた位置であることが好ましい。これらの回転検出用光源５，６は、いずれも赤外線発光ダイオード等の赤外線光発光体からなる。これらの光源５，６のコードホイール２を挟んだ反対面側には、赤外線光のみを選択的に受光する回転検出用の受光体５ａ，６ａが配設されている。
また、コードホイール２の前記片側に、原点表示部４の形成された径方向位置に対向して、原点検出用の光源７が配設され、その近傍に、前記光源７の光の原点表示部４による反射光を受光する原点検出用の受光体７ａが配設されている。原点検出用の光源７は、紫外線発光ダイオード等の紫外線光発光体からなり、受光体７ａには可視光のみを選択的に受光するものが用いられている。
【００１８】
コードホイール２の原点表示部４を形成した面には親水性コーティング（図示せず）を施してある。この親水性コーティングは、例えば、紫外線の照射に基づく光触媒作用を生じる光触媒超親水性コーティングとすることが好ましい。この親水性コーティングは、コードホイール２の原点表示部４を形成した面の全体、または原点表示部４を設けた径方向部分の円周上の全体に渡って施すことが好ましいが、原点表示部４およびその周辺のみに施しても良い。
【００１９】
上記構成の回転センサＡにおいて、コードホイール２が回転すると、原点表示部４が原点検出用の光源７の照射領域を通過する。このとき、光源７の照射する紫外線光が蛍光部からなる原点表示部４により可視光として反射され、その反射光が可視光の受光体７ａにより受光され、原点信号が出力される。
また、コードホイール２の回転に伴い、回転検出用の光源５，６から発せられる赤外線光は、格子３を透過し、その透過光が受光体５ａ，６ａによって受光される。この受光は格子３の形成パターンに対応して規則的になされ、各受光体５ａ，６ａから、コードホイール２の回転速度に応じたインクリメンタルな回転パルス信号が出力される。このパルス信号により、コードホイール２の回転速度を得ることができる。
両受光体５ａ，６ａのパルスパターンの位相を互いに例えば９０°ずれるようにしておけば、２つのパルスのうちどちらが先であるかを簡単な回路で判別することによって、コードホイール２の回転方向も判定することができる。
【００２０】
この場合に、回転速度・回転方向の検出と、原点検出とが、波長の互いに異なる光によってなされるから、コードホイール２の回転検出用の格子３および原点表示部４や、これらに対向する光源５，６，７および受光体５ａ，６ａ，７ａが同一の円周上にあっても、その検出光が互いに干渉することがなく、個々の検出信号が的確に区別して出力される。特に、回転検出用の光源５，６は赤外線を、原点検出用の光源７は紫外線をそれぞれ発光するものとし、その受光体５ａ，６ａ，７ａに、赤外線および可視光線を選択的に受光するものとしたため、検出光の干渉回避がより一層確実になる。したがって、回転検出機能と原点検出機能を合わせ持ちながら、コードホイール２の径大化が不要で、回転センサがコンパクトなものとできる。
【００２１】
また、コードホイール２の原点表示部４を施した面には親水性コーティングが施してあるため、コードホイール２の表面の親水性が保たれ、曇りの発生が防止される。そのため曇りによる検出不良を生じることなく、的確な原点検出、あるいは回転速度・回転方向の検出が行える。この親水性コーティングを光触媒超親水性コーティングとした場合は、原点検出用の光源７の発光する紫外線の照射に基づく光触媒作用により、常時超親水性が保たれ、曇り発生の防止により有効である。このような親水性コーティングは、コードホイール２の表面に限らず、光源５，６，７の発光面や、受光体５ａ、６ａ、７ａの受光面に施すことも好ましく、これにより、曇り発生による検出不良の防止効果がより確実に得られる。また、親水性コーティングに代えて撥水性コーティングを施しても、曇り防止効果が得られる。
【００２２】
なお、上記実施形態では、回転検出用の光源５，６と原点検出用の光源７とを、互いに異なる波長の光を発光するものとしたが、この実施形態のように回転検出用の格子３を透過型とし、原点検出部４を反射型とした場合は、回転検出用の光源５，６と原点検出用の光源７とに同じ波長の光を発光するものを用いても良い。その場合も、回転検出用の光と原点検出用の光の干渉の問題を生じることなく、区別して検出が行える。回転検出用の光源および受光体は、回転方向の検出が不要な場合は、それぞれ１個としても良い。
【００２３】
また、上記実施形態は、コードホイール２が非透光性の円板からなる例を述べたが、透光性の円板を用いても良い。その場合、透光性の円板の表面に、前記スリットからなる格子３に代え、塗料，薄膜等の非透光性材料を、小間隙を隔て円周方向に多数被着形成し、透光部と非透光部が繰り返す形成パターンによって前記と同様の格子とできる。
【００２４】
図２は、この発明における他の実施形態を示す。この実施形態の回転センサＢは、第１の実施形態において、回転検出用の格子３を反射型のものとした例である。この例では格子３が非反射部、格子間部分３ａが反射部となる。これに伴い、回転検出用の各受光体５ａ，６ａは、各光源５，６の発光した光の格子３による反射光を受光可能なように、光源５，６の近傍に配設されている。原点表示部４は第１の実施形態と同様に、蛍光部からなるものとしてあるが、この実施形態では非反射部である格子３の表面に原点表示部４となる蛍光部を設けている。その他の構成は第１の実施形態と同じである。
【００２５】
この実施形態の場合も、第１の実施形態と同様に、回転検出用と原点検出用とに、赤外線と紫外線等のように、別の波長の光を用いるため、コードホイール２の同じ円周上に回転検出用の格子３と原点表示部４とがあっても、干渉の問題なく回転検出と原点検出とを区別して行うことができる。また、この実施形態の場合も、回転検出用に２つの光源５，６および受光体５ａ，６ａを設けたため、回転方向の検出が行える。
また、この実施形態においても、コードホイール２における格子３の形成面に光触媒超親水性コーティング等の親水性コーティングを施しているため、コードホイール２の表面の親水性が保たれ、曇り発生が防止される。特に、この実施形態の場合は、反射型であるため、コードホイール２に曇りが発生すると回転検出の不具合が生じ易いが、このような不具合が親水性コーティングよって防止される。
【００２６】
なお、前記各実施形態においては、赤外線光と紫外線光とを用いるようにしたが、これに限らず他の波長の光を用いても良い。すなわち、回転検出用の受光体５ａ，６ａと、原点検出用の受光体７ａとで、波長の違いにより選択的に受光することができる範囲であれば、回転検出用の光源５，６と原点検出用の光源７とに、赤外線光や紫外線光とは異なる波長の光を発光するものを用いても良い。また、前記とは逆に、回転検出用に紫外線光を用い、原点検出用の赤外線光を用いてもよい。また、上記各実施形態は、いずれもコードホイール２を円板状としたが、コードホイール２は円筒状のものであっても良い。
【００２７】
図３ないし図４は、回転センサ付き軸受の実施形態を示す。この実施形態は、軸受８の一端に回転センサ１４を取付けたものである。軸受８は、ころがり軸受であり、内輪１０と外輪１１の軌道面１０ａ，１１ａ間に、ボールからなる複数の転動体９を介在させたものである。各転動体９は保持器１２により保持されている。内輪１０は回転輪となり、外輪１１は固定輪となる。内輪１０と外輪１１の間の環状空間は、一端が上記回転センサ１４で密封され、他端がシール部材１３で密封されている。シール部材１３は、外輪１１に取付けられた接触シールであり、シールリップ１３ａが内輪１０の外径面に摺接する。
【００２８】
回転センサ１４は、基本構成が図２の実施形態にかかる回転センサＢと同様のものであり、次のように構成されている。内輪１０の外径面に、非透光性の円環状のコードホイール２が、円筒部２ａを介し嵌合状態に固定されている。図６に示すように、このコードホイール２の表面に、周方向に沿って多数の格子３が設けられている。格子３は非反射部となり、格子間部分３ａは反射部となる。コードホイール２の格子３を形成した円周上の１箇所に、原点表示部４が設けられている。原点表示部４は蛍光体を塗布した蛍光部とし、一つの格子３にその蛍光体を塗布したものとしてある。コードホイール２の格子３および原点表示部４を設けた表面には、光触媒超親水性コーティング等の親水性コーティングが施してある。
【００２９】
図５に拡大して示すように、外輪１１の内径面には取付具１５Ａの一部を構成する支持用筒体１５が嵌合状態に取付けられる。支持用筒体１５は光源５等を取付けるための部材であるが、コードホイール２と共にラビリンスシールの形成部材を兼用するものとされている。すなわち、内輪１０に取付けられたコードホイール２の外周縁部が、支持用筒体１５に対してラビリンス隙間ｒを以って近接状態に対向している。これにより内外輪１０，１１の相互の回転を許容しながら、上記環状空間のシールがなされる。支持用筒体１５は、外輪１１の内径面に内嵌一体とされる小径円筒部１５ａと、この小径円筒部１５ａに連なる大径円筒部１５ｂとよりなる。大径円筒部１５ｂの内筒部には、断面コの字形の発光体および受光体支持用リング１６が内嵌一体とされている。この支持用リング１６と上記支持用筒体１５とで取付具１５Ａが構成される。
【００３０】
支持用リング１６の内面に、コードホイール２の格子３の形成部位に対向するように、回転検出用の２つの光源５，６（図３）と、原点検出用の光源７と、これらの各光源５，６，７に対応する回転検出用の受光体５ａ，６ａおよび原点検出用の受光体７ａが、基板１７（図５）を介して取付けられている。各光源５，６，７は、例えば図３のように、周方向に略９０°の間隔を隔て配置されている。
【００３１】
この構成の回転センサ付き軸受によると、内輪１０が回転すると、その回転が回転センサ１４で検出される。回転センサ１４は、図２に示した実施形態と同様に、回転速度・回転方向の検出と、原点検出とが、波長の互いに異なる光によってなされることで、コードホイール２の回転検出用の格子３および原点表示部４や、これらに対向する光源５，６，７および受光体５ａ，６ａ，７ａが同一の円周上にあっても、その検出光が互いに干渉することがなく、個々の検出信号が的確に区別して出力される。また、コードホイール２に施した親水性コーティングにより、曇りが防止され、安定した検出が行える。
【００３２】
図７は、この発明における回転センサ付き軸受の他の実施形態を示す。この回転センサ付き軸受は、内輪１０にシール１３Ａを取付け、このシール１３Ａを、コードホイールとしたものである。シール１３Ａは、芯金にゴム等の弾性体を設けた接触シールであり、内輪１０に取付けられて外輪１１の内径面に摺接する。このシール１３Ａの軸受外向きの面に、図４〜図６に示す実施形態におけるコードホイール２と同様に、回転検出用の格子３および原点表示部４（図７にはいずれも図示せず）を施している。また、このコードホイールとなるシール１３Ａの上記格子３および原点表示部４に対して、図４〜図６に示す実施形態と同様に、回転検出用の光源５，６、原点検出用の光源７、およびこれらに対応する受光部５ａ，６ａ，７ａを設けている。これらの光源５，６，７および受光部５ａ，６ａ，７ａは、リング状の取付具１５Ｂを介して外輪１１に取付けている。
【００３３】
この実施形態の場合、シール１３Ａをコードホイールに兼用したため、部品点数を増やすことなく回転センサ付き軸受を構成することができ、また回転センサ付き軸受の全体構成をより一層コンパクトなものとできる。この実施形態におけるその他の構成，効果は、図４〜図６に示す実施形態と同様である。
【００３４】
なお、上記各実施形態の回転センサ付き軸受では内輪１０を回転輪、外輪１１を固定輪としたが、両者が逆であっても良い。その場合は、内輪１０に光源５，６，７および受光体５ａ、６ａ、７ａを取付け、外輪１１にコードホイール２を取付ける。また、回転センサ１４は、図２の実施形態の回転センサＢと基本的に同じ構成としたが、これに限らず、図１の実施形態における回転センサＡを用いても良い。
また、この実施形態では軸受８を単列の転がり軸受としたが、軸受８はころ軸受であっても良く、また複列の軸受であっても良い。例えば、軸受８は、自動車のハブユニット軸受等の車輪用軸受であっても良い。さらに、軸受８は、滑り軸受であっても良い。
【図面の簡単な説明】
【００３５】
【図１】この発明の第１の実施形態にかかる原点検出機能付き光学式回転センサの斜視図である。
【図２】この発明の他の実施形態にかかる原点検出機能付き光学式回転センサの斜視図である。同別実施例を示す模式的斜視図である。
【図３】この発明における回転センサを付き転がり軸受の実施形態を示す正面図である。
【図４】図３のＸ−Ｘ線断面図である。
【図５】図４のＹ部の拡大図である。
【図６】図５のＺ−Ｚ線における部分矢視図である。
【図７】回転センサを付き軸受の他の実施形態を示す部分断面図である。
【符号の説明】
【００３６】
２…コードホイール
３…格子
３ａ…格子間部分
４…原点表示部
５，６…回転検出用の光源
５ａ，６ａ…回転検出用の受光体
７…原点検出用の光源
７ａ…原点検出用の受光体
８…軸受
１０…内輪（回転輪）
１１…外輪（固定輪）
１３Ａ…コードホイールとなるシール
Ａ，Ｂ，１４…回転センサ
【図１】
2005233870.tif 000003
【図２】
2005233870.tif 000004
【図３】
2005233870.tif 000005
【図４】
2005233870.tif 000006
【図５】
2005233870.tif 000007
【図６】
2005233870.tif 000008
【図７】
2005233870.tif 000009